(57)【要約】【課題】表示部による映像の表示開始時におけるノイズの発生に起因する不都合を回避し得るテレビを提供する。【解決手段】第１の映像音声データに基づく映像を表示可能に構成された表示部と、第２の映像音声データを出力可能に構成されたデータ出力部と、表示部を制御して映像を表示させる制御部とを備え、制御部は、第１の映像音声データに基づく映像の表示部による表示の開始を指示する表示開始操作時において（電源スイッチが操作されたとき：ステップ２１）データ出力部から出力されている第２の映像音声データが予め設定された第１の条件（点灯許容条件）を満たしているときに（ステップ２５）、表示部を制御して第１の映像音声データに基づく映像の表示を開始させる（ステップ２３）。【選択図】図２
2007081612.tif 000002
【特許請求の範囲】
【請求項１】
第１の映像音声データに基づく映像を表示可能に構成された表示部と、第２の映像音声データを出力可能に構成されたデータ出力部と、前記表示部を制御して前記映像を表示させる制御部とを備え、
前記制御部は、前記第１の映像音声データに基づく前記映像の前記表示部による表示の開始を指示する表示開始操作時において前記データ出力部から出力されている前記第２の映像音声データが予め設定された第１の条件を満たしているときに、前記表示部を制御して前記第１の映像音声データに基づく前記映像の表示を開始させるテレビ。
【請求項２】
前記第２の映像音声データが前記第１の条件を満たしているか否かの情報を報知する報知部を備え、
前記制御部は、前記表示開始操作時において前記報知部を制御して前記情報を報知させる請求項１記載のテレビ。
【請求項３】
前記第１の条件を記憶する記憶部を備え、
前記制御部は、設定操作によって設定された前記第１の条件を前記記憶部に記憶させる請求項１または２記載のテレビ。
【請求項４】
前記制御部は、前記表示開始操作時において前記データ出力部から出力されている前記第２の映像音声データが前記第１の条件とは相違する第２の条件を満たしたときに、前記表示部による前記映像の表示開始を規制してその規制状態を維持すると共に、前記第２の映像音声データが前記第１の条件を満たしたときに、前記表示部を制御して前記第１の映像音声データに基づく前記映像の表示を開始させる請求項１から３のいずれかに記載のテレビ。
【請求項５】
前記第２の映像音声データが前記第２の条件を満たしているか否かの情報を報知する報知部を備え、
前記制御部は、前記表示開始操作時において前記報知部を制御して前記情報を報知させる請求項４記載のテレビ。
【請求項６】
前記第２の条件を記憶する記憶部を備え、
前記制御部は、設定操作によって設定された前記第２の条件を前記記憶部に記憶させる請求項４または５記載のテレビ。
【請求項７】
前記制御部は、前記規制状態において規制解除操作が行われたときに、前記表示部を制御して前記第１の映像音声データに基づく前記映像の表示を開始させる請求項４から６のいずれかに記載のテレビ。
【請求項８】
前記制御部は、前記規制状態において規制維持操作が行われたときに、前記第２の映像音声データが前記第１の条件を満たしたときであっても当該規制状態を維持する請求項４から７のいずれかに記載のテレビ。
【請求項９】
前記制御部は、前記第２の映像音声データが広告放送の映像音声データのときに前記第１の条件を満たしたと判別する請求項１から８のいずれかに記載のテレビ。
【発明の詳細な説明】
【技術分野】
【０００１】
本発明は、テレビ番組等の映像音声データを外部機器に出力すると共に、他のテレビ番組等を表示部に表示し得るテレビに関するものである。
【背景技術】
【０００２】
この種のテレビとして、Ｕ／ＶチューナおよびＢＳチューナの２つのチューナを備えたテレビジョン装置（以下、「テレビ」ともいう）が特開平６−６７２９号公報に開示されている。このテレビは、上記両チューナによって受信した受信信号に基づいて映像信号および音声信号を生成し、生成した映像信号に基づく映像を陰極線管に表示させることが可能に構成されている。また、このテレビは、生成した映像信号および音声信号を外部出力端子からビデオテープレコーダ装置等の外部機器に出力することが可能に構成されている。この場合、このテレビでは、陰極線管が非作動状態であっても、ＢＳチューナによって受信した受信信号に基づく映像信号および音声信号を外部出力端子から外部機器に出力することが可能に構成されている。
【特許文献１】特開平６−６７２９号公報（第３−５頁、図１）
【発明の開示】
【発明が解決しようとする課題】
【０００３】
ところが、従来のテレビには、以下の問題点がある。すなわち、このテレビでは、映像信号に基づく映像を陰極線管に表示させる構成が採用されている。この場合、陰極線管による映像の表示に際しては、非常に高い電圧を陰極線管に印加する必要がある。したがって、例えばＢＳチューナによる受信信号に基づく映像信号および音声信号を外部出力端子から外部機器に出力しているときに陰極線管のによる映像の表示を開始させたときには、外部出力端子から出力している映像信号および音声信号に陰極線管の動作開始時に生じるノイズが重畳する。このため、この従来のテレビには、例えば、各シーンを見逃すことのないように外部機器によってテレビ番組を録画しているにも拘わらず、陰極線管の作動開始時に生じるノイズによって録画中の重要なシーン（映像）に乱れが生じるおそれがあるという問題点が存在する。この場合、陰極線管に代えて液晶パネルやプロジェクタ等の各種表示部を搭載したテレビにおいても、これらの表示部の作動開始時（表示部による映像の表示開始時）には、陰極線管の作動開始時と同様にしてノイズが生じる結果、従来のテレビと同様の問題点が存在する。
【０００４】
本発明は、かかる問題点に鑑みてなされたものであり、表示部による映像の表示開始時におけるノイズの発生に起因する不都合を回避し得るテレビを提供することを主目的とする。
【課題を解決するための手段】
【０００５】
上記目的を達成すべく、本発明に係るテレビは、第１の映像音声データに基づく映像を表示可能に構成された表示部と、第２の映像音声データを出力可能に構成されたデータ出力部と、前記表示部を制御して前記映像を表示させる制御部とを備え、前記制御部は、前記第１の映像音声データに基づく前記映像の前記表示部による表示の開始を指示する表示開始操作時において前記データ出力部から出力されている前記第２の映像音声データが予め設定された第１の条件を満たしているときに、前記表示部を制御して前記第１の映像音声データに基づく前記映像の表示を開始させる。なお、本発明における「第１の映像音声データ」および「第２の映像音声データ」には、互いに相違するチャンネルの放送信号の映像音声データのみならず、例えば、同一チャンネルの放送信号の映像音声データであってその出力先が相違する２つの映像音声データが含まれるものとする。具体的には、同一チャンネルの放送信号の映像音声データを表示部に表示させつつ、外部機器に出力する場合には、表示部に表示させるための映像音声データが本発明における「第１の映像音声データ」に相当し、外部機器に出力させるための映像音声データが本発明における「第２の映像音声データ」に相当する。
【０００６】
このテレビによれば、表示開始操作時においてデータ出力部から出力されている第２の映像音声データが第１の条件を満たしているときに制御部が表示部を制御して第１の映像音声データに基づく映像の表示を開始させることにより、ノイズの発生に起因して映像等に乱れが生じても不都合が生じない条件（一例として、広告放送および天気予報のいずれかであること）を第１の条件として予め設定しておくことで、例えば、外部装置に出力しているテレビ番組の重要なシーンにノイズの発生に起因する乱れが生じる等の不都合を回避することができる。
【０００７】
また、本発明に係るテレビは、前記第２の映像音声データが前記第１の条件を満たしているか否かの情報を報知する報知部を備え、前記制御部が、前記表示開始操作時において前記報知部を制御して前記情報を報知させる。
【０００８】
このテレビによれば、表示開始操作時において制御部が報知部を制御して第２の映像音声データが第１の条件を満たしているか否かの情報を報知させることにより、第２の映像音声データが第１の条件を満たしていないことが映像の表示を開始しない理由である旨を利用者に容易に認識させることができる。したがって、操作ミスが原因で映像表示が開始されないと誤って認識した利用者によって再び表示開始操作が実行される事態を回避することができる。
【０００９】
さらに、本発明に係るテレビは、前記第１の条件を記憶する記憶部を備え、前記制御部が、設定操作によって設定された前記第１の条件を前記記憶部に記憶させる。
【００１０】
このテレビによれば、制御部が設定操作によって設定された第１の条件を記憶部に記憶させることにより、利用者毎にその使用形態に合致する条件を第１の条件として任意に設定して記憶させることができるため、ノイズの発生に起因する不都合が生じる事態を一層確実に回避することができる。
【００１１】
また、本発明に係るテレビは、前記制御部が、前記表示開始操作時において前記データ出力部から出力されている前記第２の映像音声データが前記第１の条件とは相違する第２の条件を満たしたときに、前記表示部による前記映像の表示開始を規制してその規制状態を維持すると共に、前記第２の映像音声データが前記第１の条件を満たしたときに、前記表示部を制御して前記第１の映像音声データに基づく前記映像の表示を開始させる。なお、表示開始を規制してその規制状態を維持する処理には、光源ランプの点灯開始を保留する処理が含まれる。
【００１２】
このテレビによれば、表示開始操作時においてデータ出力部から出力されている第２の映像音声データが第２の条件を満たしたときに、表示部による映像の表示開始を規制して規制状態を維持すると共に、第２の映像音声データが第１の条件を満たしたときに、表示部による映像の表示を開始させることにより、ノイズの発生に起因して映像等に乱れが生じた場合に不都合が生じる条件（一例として、映画、ドラマおよびスポーツ中継のいずれかのとき）を第２の条件として予め設定しておくことで、例えば、外部装置に出力しているテレビ番組の重要なシーンにノイズの発生に起因する乱れが生じる等の不都合を回避することができる。
【００１３】
さらに、本発明に係るテレビは、前記第２の映像音声データが前記第２の条件を満たしているか否かの情報を報知する報知部を備え、前記制御部が、前記表示開始操作時において前記報知部を制御して前記情報を報知させる。
【００１４】
このテレビによれば、表示開始操作時において制御部が報知部を制御して第２の映像音声データが第２の条件を満たしているか否かの情報を報知させることにより、第２の映像音声データが第２の条件を満たしていることが映像の表示を開始しない理由である旨を利用者に容易に認識させることができる。したがって、操作ミスが原因で映像表示が開始されないと誤って認識した利用者によって再び表示開始操作が実行される事態を回避することができる。
【００１５】
また、本発明に係るテレビは、前記第２の条件を記憶する記憶部を備え、前記制御部が、設定操作によって設定された前記第２の条件を前記記憶部に記憶させる。
【００１６】
このテレビによれば、制御部が設定操作によって指定された第２の条件を記憶部に記憶させることにより、利用者毎にその使用形態に合致する条件を第２の条件として任意に設定して記憶させることができるため、ノイズの発生に起因する不都合が生じる事態を一層確実に回避することができる。
【００１７】
さらに、本発明に係るテレビは、前記制御部が、前記規制状態において規制解除操作が行われたときに、前記表示部を制御して前記第１の映像音声データに基づく前記映像の表示を開始させる。
【００１８】
このテレビによれば、規制状態において規制解除操作が行われたときに制御部が表示部を制御して第１の映像音声データに基づく映像の表示を開始させることにより、データ出力部から出力されている第２の映像音声データが第１の条件を満たしていないときに例えば災害情報番組等が放送されている場合などにおいて、規制解除操作によって表示部による映像の表示を直ちに開始させることができる。
【００１９】
また、本発明に係るテレビは、前記制御部が、前記規制状態において規制維持操作が行われたときに、前記第２の映像音声データが前記第１の条件を満たしたときであっても当該規制状態を維持する。
【００２０】
このテレビによれば、規制状態において規制維持操作が行われたときに第２の映像音声データが第１の条件を満たしたときであっても制御部が規制状態を維持することにより、例えば、映像の表示開始が保留されている状態において利用者が外出するときや、就寝するときなど、その後に映像の表示を開始させる必要がないときに、規制維持操作によって映像の表示開始を規制した状態（すなわち、映像の表示が開始されない状態）を維持することができる。したがって、外出中または就寝中に利用者の意図に反して映像の表示が開始される事態を回避することができる。
【００２１】
さらに、本発明に係るテレビは、前記制御部が、前記第２の映像音声データが広告放送の映像音声データのときに前記第１の条件を満たしたと判別する。
【００２２】
このテレビによれば、第２の映像音声データが広告放送の映像音声データのときに制御部が第１の条件を満たしたと判別することにより、例えば、映画の重要なシーンにノイズによる映像の乱れが生じる事態を回避することができる。
【発明を実施するための最良の形態】
【００２３】
以下、本発明に係るテレビの最良の形態について、添付図面を参照して説明する。図１に示すプロジェクションテレビ１（リアプロジェクション型のテレビ）は、放送信号Ｓに基づく映像の表示および音声の出力が可能に構成されている。また、このプロジェクションテレビ（以下、「テレビ」ともいう）１は、後述するように、受信した放送信号Ｓに基づく映像データＤｖおよび音声データＤａを外部装置１５（一例として、ＤＶＤレコーダ等の録画機器）に出力可能に構成されている。具体的には、このテレビ１は、チューナ２、映像音声処理部３、映像表示部４、音声出力部５、映像音声データ出力部６、番組情報取得部７、スイッチ操作処理部８、電源制御部９、主制御部１０、記憶部１１、動作状態表示部１２、光源ランプ駆動制御部１３および光源ランプ１４を備えて構成されている。
【００２４】
チューナ２は、映像音声処理部３および映像音声データ出力部６と相俟って本発明におけるデータ出力部を構成し、指定されたチャンネルの放送信号Ｓを図外のアンテナで受信して映像音声データＤを生成し、生成した映像音声データＤを映像音声処理部３に出力する。この場合、このチューナ２は、一例として、ＢＳデジタル放送、１１０度ＣＳデジタル放送、地上デジタル放送および地上アナログ放送等の各種放送信号Ｓを受信可能に構成されている。また、チューナ２は、放送信号Ｓに含まれている番組属性データＤｄやパイロット信号を抽出して番組情報取得部７に出力する。映像音声処理部３は、チューナ２から出力された映像音声データＤに基づいて映像データＤｖおよび音声データＤａを生成し、映像データＤｖを映像表示部４に出力すると共に音声データＤａを音声出力部５に出力する。この場合、映像表示部４に出力する映像データＤｖおよび音声出力部５に出力する音声データＤａが本発明における第１の映像音声データに相当する。また、映像音声処理部３は、主制御部１０の制御に従い、映像データＤｖおよび音声データＤａ（本発明における第２の映像音声データ）を映像音声データ出力部６に出力する。
【００２５】
映像表示部４は、光源ランプ駆動制御部１３および光源ランプ１４と相俟って本発明における表示部を構成し、一例として、光学エンジンおよびスクリーンパネル等（図示せず）を備え、映像音声処理部３から出力された映像データＤｖに基づく各種映像（テレビ画面等）を表示する。具体的には、映像表示部４は、出力された映像データＤｖに基づいて光源ランプ１４からの投射光Ｌを光変調してスクリーンパネルに背面側から投射することで各種映像を表示する。この場合、上記の光学エンジンは、例えば、光変調素子（一例として、デジタルマイクロミラーデバイスや液晶ライトバルブ）と、投射レンズ（いずれも図示せず）とを備えて光源ランプ１４を光源として機能するように構成されている。音声出力部５は、映像音声処理部３から出力された音声データＤａをＤ／Ａ変換して増幅することにより、図示しないスピーカから音声データＤａに基づく音声を出力する。映像音声データ出力部６は、主制御部１０の制御に従い、映像音声処理部３によって生成された映像データＤｖおよび音声データＤａを外部装置１５に出力する。
【００２６】
番組情報取得部７は、チューナ２によって出力された番組属性データＤｄやパイロット信号に基づき、映像音声データ出力部６から外部装置１５に出力している映像データＤｖおよび音声データＤａ（本発明における第２の映像音声データ）のテレビ番組が属する番組属性を特定する。具体的には、この番組情報取得部７は、一例として、広告放送（コマーシャル）、ニュース、天気予報および映画等の各種属性（ジャンル）のいずれに属するかを特定する。スイッチ操作処理部８は、図示しないリモコンやテレビ１の入力キーからの各種操作信号の出力を監視し、出力された操作信号に対応する操作内容を主制御部１０に出力する。この場合、例えばリモコンには、電源スイッチ、チャネル切り換えスイッチ、ボリューム変更スイッチ、カーソル移動スイッチ、確定スイッチおよびキャンセルスイッチなどの各種操作スイッチ（いずれも図示せず）が配設されている。電源制御部９は、主制御部１０の制御に従い、テレビ１の各部に電源を供給する。主制御部１０は、テレビ１の各部を総括的に制御する。また、主制御部１０は、番組情報取得部７と相俟って本発明における制御部を構成し、後述するように、図２に示す点灯制御処理２０を実行して光源ランプ１４の点灯を制御する。記憶部１１は、後述する条件設定処理によって指定される点灯許容条件を特定可能な条件データＤｃを記憶する。
【００２７】
動作状態表示部１２は、図３に示すように、主制御部１０の制御に従って点灯させられるＬＥＤ１２ａ，１２ｂを備えている。この場合、ＬＥＤ１２ａ（「電源」のインジケータ）は、表示部（映像表示部４、光源ランプ駆動制御部１３および光源ランプ１４）の動作状態を報知する。具体的には、ＬＥＤ１２ａは、テレビ１の主電源が投入されている状態（チューナ２による放送信号Ｓの受信が可能な状態）であって光源ランプ１４が点灯させられていないとき（映像表示部４による映像の表示が実行されていないとき）には赤色で点灯させられ、光源ランプ１４が点灯させられているとき（映像表示部４による映像の表示が実行されているとき）には青色で点灯させられる。また、ＬＥＤ１２ａは、図４に示すように、例えば緑色で点滅させられることにより、映像音声データ出力部６から出力している映像データＤｖおよび音声データＤａが後述する点灯許容条件を満たしているか否かを報知する。一方、ＬＥＤ１２ｂ（「録画」インジケータ）は、映像音声データ出力部６から外部機器に対して映像データＤｖおよび音声データＤａが出力されているか否かを報知する。具体的には、ＬＥＤ１２ｂは、映像音声データ出力部６から映像データＤｖおよび音声データＤａが出力されていないとき、すなわち、外部装置１５による録画が実行されていないときには消灯させられ、映像音声データ出力部６から映像データＤｖおよび音声データＤａが出力されているとき、すなわち、外部装置１５による録画が実行されているときには赤色で点灯させられる。
【００２８】
光源ランプ駆動制御部１３は、主制御部１０の制御に従い、光源ランプ１４を点灯させるための光源ランプ駆動パルスを生成して光源ランプ１４に供給する。光源ランプ１４は、一例として、メタルハライドランプや高圧水銀ランプで構成されて、光源ランプ駆動制御部１３から供給される光源ランプ駆動パルスによって点灯させられて、白色の投射光Ｌを映像表示部４に向けて射出する。この場合、光源ランプ駆動制御部１３は、光源ランプ１４に対する光源ランプ駆動パルスの生成開始時において、ノイズを発生することがある。したがって、このテレビ１では、後述するように、主制御部１０が光源ランプ駆動制御部１３による光源ランプ駆動パルスの生成開始タイミング（すなわち、光源ランプ１４の点灯タイミング）を制御することで、ノイズの発生に起因する各種の不都合を回避できるように構成されている。
【００２９】
次に、テレビ１の全体的な動作について、図面を参照して説明する。このテレビ１の使用に際しては、まず、電源スイッチが操作された際に（本発明における「表示開始操作」の一例）光源ランプ１４の点灯開始を許容する点灯開始条件（光源ランプ駆動制御部１３による光源ランプ駆動パルスの生成開始を許容する条件）を設定する。具体的には、図示しない動作条件設定画面を映像表示部４のスクリーンに表示させた状態において点灯許容条件を設定する。この場合、このテレビ１では、点灯許容条件として、「映像音声データ出力部６から映像データＤｖおよび音声データＤａが出力されていないとき（外部装置１５による録画等が実行されていないとき）」との条件、および「映像音声データ出力部６から出力されている映像データＤｖおよび音声データＤａが広告放送のデータであるとき」との条件が初期値として予め登録されている。このため、上記の条件に加えて点灯を許容すべき条件を希望するときには、カーソル移動キー等を操作して、例えば「映像音声データ出力部６から出力されている映像データＤｖおよび音声データＤａが天気予報のデータであるとき」との条件を設定する（本発明における「設定操作」の一例）。続いて、確定スイッチを操作することにより、主制御部１０は、初期値として登録されている上記の２つの条件と、利用者によって新たに設定された条件との３つの条件に基づいて条件データＤｃを生成し、この生成した条件データＤｃを記憶部１１に記憶させる。これにより、点灯許容条件の設定が完了する。
【００３０】
また、このテレビ１では、映像表示部４に映像が表示されているか否かを問わず（光源ランプ１４が点灯状態であるか否かを問わず）、チューナ２によって生成された映像音声データＤに基づく映像データＤｖおよび音声データＤａを映像音声データ出力部６から外部装置１５に出力することが可能に構成されている。したがって、テレビ１の主電源を投入しておくだけで、光源ランプ１４を点灯させて映像表示部４に映像を表示させることなく、例えば、ＢＳデジタル放送や１１０度ＣＳデジタル放送のテレビ番組（映像データＤｖおよび音声データＤａ）を外部装置１５（録画機器）に録画させることができる。この際に、主制御部１０は、図３に示すように、動作状態表示部１２を制御して、ＬＥＤ１２ａを赤色で点灯させた状態を維持させると共に、ＬＥＤ１２ｂを赤色で点灯させて映像音声データ出力部６から映像データＤｖ等を出力している旨を報知する。
【００３１】
この場合、前述したように、非点灯状態の光源ランプ１４を点灯させるべく、光源ランプ駆動制御部１３による光源ランプ駆動駆動パルスの生成を開始したときには、光源ランプ駆動制御部１３からノイズが発生することがある。したがって、このテレビ１では、主電源が投入された状態において光源ランプ１４が非点灯状態のとき（映像表示部４に映像を表示させていないとき）に、主制御部１０が図２に示す点灯制御処理２０を実行して、ノイズの発生に起因する各種の不都合が回避される。具体的には、この点灯制御処理２０では、主制御部１０が、光源ランプ１４の非点灯状態において電源スイッチが操作されたか否かを監視する（ステップ２１）。この際に、利用者がテレビ番組を視聴すべく電源スイッチを操作したときには、主制御部１０は、映像音声データ出力部６から映像データＤｖおよび音声データＤａ（本発明における第２の映像音声データ）が出力されているか否かを判別する（ステップ２２）。
【００３２】
この場合、映像音声データ出力部６から映像データＤｖおよび音声データＤａが出力されていないとき（すなわち、外部装置１５による録画等が実行されていないとき）には、主制御部１０は、光源ランプ駆動制御部１３を制御して光源ランプ駆動パルスを生成させて光源ランプ１４を点灯させると共に、チューナ２、映像音声処理部３および映像表示部４を制御して映像の表示を開始させる（ステップ２３）。この際には、電源遮断時に選局されていたチャンネルの放送信号Ｓがチューナ２によって受信され、その放送信号Ｓに基づいて生成された映像音声データＤが映像音声処理部３に出力され、これに応じて、映像音声処理部３が映像データＤｖおよび音声データＤａを生成して映像表示部４および音声出力部５に出力する。これにより、映像データＤｖに基づく映像が映像表示部４のスクリーンパネルに表示されると共に、音声データＤａに基づく音声が音声出力部５のスピーカから出力される。また、主制御部１０は、動作状態表示部１２を制御してＬＥＤ１２ｂを消灯させた状態を維持させると共に、光源ランプ駆動制御部１３による光源ランプ駆動パルスの生成開始に伴い、ＬＥＤ１２ａを青色で点灯させる（点灯開始表示の実行：ステップ２４）。
【００３３】
一方、電源スイッチの操作時において外部装置１５による録画等が実行されているときには、主制御部１０は、ステップ２２において、映像音声データ出力部６から映像データＤｖおよび音声データＤａが出力されていると判別する。この際に、主制御部１０は、映像音声データ出力部６から出力されている映像データＤｖおよび音声データＤａが条件データＤｃによって特定される点灯許容条件を満たしているか否かを判別する（ステップ２５）。具体的には、主制御部１０は、番組情報取得部７による番組属性についての特定結果に基づき、映像音声データ出力部６から出力している映像データＤｖおよび音声データＤａが点灯許容条件を満たす番組であるか否かを判別する。この場合、映像音声データ出力部６から出力している映像データＤｖおよび音声データＤａが、広告放送および天気予報のいずれかのデータであると判別したときには、主制御部１０は、点灯許容条件を満たしていると判別して、光源ランプ駆動制御部１３を制御して光源ランプ駆動パルスを生成させると共に、チューナ２、映像音声処理部３および映像表示部４を制御して映像の表示を開始させる（ステップ２３）。この場合、光源ランプ駆動制御部１３による光源ランプ駆動パルスの生成開始時にノイズが発生したとしても、映像音声データ出力部６から出力されて外部装置１５によって録画されている映像が広告放送および天気予報のいずれかであるため、例えば録画中の映像における重要なシーンに乱れが生じる等の不都合が生じる事態が回避される。
【００３４】
また、主制御部１０は、ステップ２５において点灯許容条件を満たしていないと判別したとき、表示部による映像の表示開始を規制する。すなわち、映像音声データ出力部６から出力されている映像データＤｖおよび音声データＤａが広告放送および天気予報のいずれにも該当しないデータであると判別したときには、光源ランプ駆動制御部１３による光源ランプ駆動パルスの生成開始を規制して点灯許容条件を満たすまで生成開始を保留する。このため、光源ランプ駆動制御部１３による光源ランプ駆動パルスの生成開始時におけるノイズの発生に起因して外部装置１５によって録画されている番組（例えば録画中の映像における重要なシーン）に乱れが生じる等の不都合が生じる事態が回避される。また、主制御部１０は、図４に示すように、動作状態表示部１２を制御して、ＬＥＤ１２ｂを赤色で点灯させた状態を維持させると共に、ＬＥＤ１２ａを緑色で点滅させる（点灯保留表示の実行：ステップ２６）。したがって、ＬＥＤ１２ｂの点滅により、外部装置１５によって録画中の番組（映像データＤｖおよび音声データＤａ）が広告放送や天気予報ではないために、映像表示部４への映像の表示が開始されない旨が利用者によって認識される。この結果、操作ミスであると誤って認識して電源スイッチを再度操作する事態が回避される。
【００３５】
次いで、主制御部１０は、規定時間内（一例として、２秒以内）に電源スイッチが再度操作されるか否かを監視する（ステップ２７，２８）。この場合、このテレビ１では、映像音声データ出力部６から出力されている映像データＤｖおよび音声データＤａが点灯許容条件を満たしていないことに起因して光源ランプ１４の点灯が規制されている状態であったとしても、２秒以内に電源スイッチを再度操作する（本発明における「規制解除操作」の一例）ことにより、光源ランプ１４を強制的に点灯させて映像表示部４による映像の表示を開始させることが可能となっている。したがって、主制御部１０は、スイッチ操作処理部８からの制御信号に基づき、ステップ２７において電源スイッチの操作有りと判別したときには、光源ランプ駆動制御部１３による光源ランプ駆動パルスの生成を開始させる（ステップ２３）。これにより、外部装置１５による録画中であることに起因して例えば災害情報番組等の視聴が規制される事態が回避される。また、主制御部１０は、図５に示すように、動作状態表示部１２を制御して、ＬＥＤ１２ｂを赤色で点灯させた状態を維持させると共に、ＬＥＤ１２ａを青色で点灯させる（点灯開始表示の実行：ステップ２４）。一方、最初の電源スイッチの操作時点から電源スイッチが再度操作されることなく規定時間（２秒）を経過したときには（ステップ２８）、規制状態が解除されることなく維持される。
【００３６】
また、主制御部１０は、キャンセルスイッチが操作されたか否かの監視と（規制維持操作の有無の監視：ステップ２９）、映像音声データ出力部６から出力されている映像データＤｖおよび音声データＤａとが点灯許容条件を満たしたか否かの監視（ステップ３０）とを実行する。この場合、点灯開始が保留された状態で例えば利用者が外出または就寝するなどして映像表示部４による映像の表示が不要となることもあるため、このテレビ１では、キャンセルスイッチを操作することで（本発明における「規制維持操作」の一例）、点灯開始の保留状態を強制的に継続させる（規制状態を維持する）ことができるように構成されている。つまり、点灯許容条件を満たしたとしても、光源ランプ１４の点灯が規制された状態を維持するように構成されている。したがって、主制御部１０は、キャンセルスイッチの操作有りと判別したときに、図３に示すように、動作状態表示部１２を制御してＬＥＤ１２ｂを赤色で点灯させた状態を維持させると共に、ＬＥＤ１２ａを赤色で点灯させて（光源ランプ点灯開始の保留表示を維持し）、この点灯制御処理２０を終了する。
【００３７】
一方、キャンセルスイッチが操作されることなく、映像音声データ出力部６から出力している映像データＤｖおよび音声データＤａが点灯許容条件を満たしたとき、すなわち、外部装置１５によって録画している番組が、広告放送および天気予報のいずれかになったときには、主制御部１０は、動作状態表示部１２を制御してＬＥＤ１２ｂを消灯させると共に、光源ランプ駆動制御部１３による光源ランプ駆動パルスの生成を開始させる。これにより、光源ランプ駆動制御部１３によって生成された光源ランプ駆動パルスによって光源ランプ１４が点灯させられると共に（ステップ２３）、映像データＤｖに基づく映像が映像表示部４のスクリーンパネルに表示され、かつ、音声データＤａに基づく音声が音声出力部５のスピーカから出力される。また、主制御部１０は、光源ランプ駆動制御部１３による光源ランプ駆動パルスの生成開始に伴い、動作状態表示部１２を制御してＬＥＤ１２ａを青色で点灯させて（点灯開始表示の実行：ステップ２４）、この点灯制御処理２０を終了する。なお、主制御部１０は、キャンセルスイッチが操作されることなく、映像音声データ出力部６からの映像データＤｖおよび音声データＤａの出力が終了したとき、すなわち、外部装置１５によるテレビ番組の録画等が終了したときにも点灯許容条件を満たしたと判別して、上記のステップ２３，２４を実行した後に、この点灯制御処理２０を終了する。
【００３８】
このように、このテレビ１によれば、表示開始操作時において映像音声データ出力部６から出力されている第２の映像音声データ（映像データＤｖおよび音声データＤａ）が第１の条件を満たしているときに主制御部１０が光源ランプ駆動制御部１３を制御して光源ランプ１４を点灯させると共に映像音声処理部３から出力される映像データＤｖ（第１の映像音声データ）に基づく映像を映像表示部４に表示させる（映像の表示を開始させる）ことにより、ノイズの発生に起因して映像等に乱れが生じても不都合が生じない条件（この例では、広告放送および天気予報のいずれかであること）を本発明における第１の条件として予め設定しておくことで、例えば、外部装置１５によって録画されているテレビ番組の重要なシーンにノイズの発生に起因する乱れが生じる等の不都合を回避することができる。
【００３９】
また、このテレビ１によれば、表示開始操作時（この例では、電源スイッチの操作時）において主制御部１０が動作状態表示部１２を制御して映像音声データ出力部６から出力している第２の映像音声データ（映像データＤｖおよび音声データＤａ）が上記の第１の条件を満たしているか否かを特定可能にＬＥＤ１２ａ，１２ｂを点灯させることにより、第２の映像音声データが第１の条件を満たしていないことが映像の表示を開始しない理由である旨を利用者に容易に認識させることができる。したがって、操作ミスが原因で映像表示が開始されないと誤って認識した利用者によって再び表示開始操作が実行される事態を回避することができる。
【００４０】
さらに、このテレビ１によれば、主制御部１０が設定操作によって設定された上記の第１の条件（特定可能な条件データＤｃ）を記憶部１１に記憶させることにより、利用者毎にその使用形態に合致する条件を任意に設定して条件データＤｃとして記憶させることができるため、ノイズの発生に起因する不都合が生じる事態を一層確実に回避することができる。
【００４１】
また、このテレビ１によれば、光源ランプ駆動制御部１３による光源ランプ駆動パルスの生成開始を規制している規制状態において規制解除操作が行われたとき（この例では、所定時間内に電源スイッチが再度操作されたとき）に主制御部１０が光源ランプ駆動制御部１３を制御して光源ランプ１４を点灯させると共に映像音声処理部３から出力される映像データＤｖ（第１の映像音声データ）に基づく映像を映像表示部４に表示させる（映像の表示を開始させる）ことにより、映像音声データ出力部６から出力されている映像データＤｖおよび音声データＤａが第１の条件を満たしていないときに例えば災害情報番組等が放送されている場合などにおいて、規制解除操作によって映像表示部４による映像の表示を直ちに開始させることができる。
【００４２】
さらに、このテレビ１によれば、上記の規制状態において規制維持操作が行われたとき（この例では、キャンセルスイッチが操作されたとき）に第２の映像音声データが第１の条件を満たしたとき（この例では、広告放送および天気予報のいずれかとなったとき）であっても主制御部１０が規制状態を維持することにより、例えば、映像の表示開始が保留されている状態において利用者が外出するときや、就寝するときなど、その後に映像の表示を開始させる必要がないときに、規制維持操作によって映像の表示開始を規制した状態（すなわち、映像の表示が開始されない状態）を維持することができる。したがって、外出中または就寝中に利用者の意図に反して映像の表示が開始される事態を回避することができる。
【００４３】
また、このテレビ１によれば、第２の映像音声データが広告放送の映像データＤｖおよび音声データＤａのときに主制御部１０が本発明における第１の条件を満たしたと判別することにより、例えば、映画の重要なシーン等にノイズによる映像の乱れが生じる事態を回避することができる。
【００４４】
なお、本発明は、上記の構成に限定されない。例えば、上記のテレビ１では、電源スイッチが操作時において映像音声データ出力部６から出力されている映像データＤｖおよび音声データＤａが広告放送および天気予報のいずれかであるとき（本発明における第１条件を満たしているとき）に映像表示部４による映像の表示を開始する構成を採用しているが、本発明はこれに限定されない。具体的には、例えば、映像音声データ出力部６から出力されている映像データＤｖおよび音声データＤａ等が映画、ドラマおよびスポーツ中継のデータであるとき（本発明における「第２の条件」の一例）に映像の表示を開始しないとする条件を設定しておき、電源スイッチの操作時において、映像音声データ出力部６から出力されている映像データＤｖおよび音声データＤａが映画、ドラマおよびスポーツ中継のいずれかのとき（本発明における第２条件を満たしたとき）に主制御部１０が映像表示部４による映像の表示（光源ランプ駆動制御部１３による光源ランプ駆動用パルスの生成開始）を規制する構成を採用することができる。この構成によれば、ノイズの発生に起因して映像等に乱れが生じた場合に不都合が生じる条件（この例では、映画、ドラマおよびスポーツ中継のいずれかのとき）を本発明における第２の条件として予め設定しておくことで、例えば、外部装置１５によって録画されているテレビ番組の重要なシーンにノイズの発生に起因する乱れが生じる等の不都合を回避することができる。
【００４５】
また、上記のように第２条件を満たしたときに映像の表示開始を規制する構成を採用する場合、主制御部１０が動作状態表示部１２を制御して表示開始操作時（例えば電源スイッチの操作時）において映像音声データ出力部６から出力している第２の映像音声データ（映像データＤｖおよび音声データＤａ）が上記の第２の条件を満たしているか否かを特定可能にＬＥＤ１２ａ，１２ｂを点灯させて報知する構成を併せて採用するのが好ましい。この構成によれば、第２の映像音声データが第２の条件を満たしていることが映像の表示を開始しない理由である旨を利用者に容易に認識させることができる。したがって、操作ミスが原因で映像表示が開始されないと誤って認識した利用者によって再び表示開始操作が実行される事態を回避することができる。
【００４６】
さらに、上記のように第２条件を満たしたときに映像の表示開始を規制するように構成した場合、上記のテレビ１における条件データＤｃに代えて、設定操作によって設定された第２の条件を特定可能な条件データＤｃを記憶部１１に記憶させる構成を採用するのが好ましい。この構成によれば、利用者毎にその使用形態に合致する条件を任意に設定して条件データＤｃとして記憶させることができるため、ノイズの発生に起因する不都合が生じる事態を一層確実に回避することができる。なお、上記のテレビ１における条件データＤｃを記憶部１１に記憶させておき、この条件データＤｃに対応する条件を満たしていないときに、本発明における第２条件を満たしたと判別する構成を採用することもできる。また、本発明における第２の条件については、本発明における第１の条件とは相反する条件に限定されるものではない。
【００４７】
また、上記のテレビ１では、映像音声データ出力部６から出力されている映像データＤｖおよび音声データＤａが広告放送および天気予報等のデータのとき、すなわち、映像音声データの番組属性に基づいて映像の表示開始を許容する、または規制する構成を採用しているが、本発明における第１の条件や第２の条件は、番組属性に限定されない。例えば、本発明における第１の条件として、「映像データＤｖ（映像）が大きく変化したとき」や、「音声データＤａ（音声）が大きく変化したとき」等の条件を設定しておくことで、光源ランプ駆動制御部１３による光源ランプ駆動パルスの生成開始時とテレビ番組等のシーンの切り替わりタイミングとを同期させることができる。したがって、ノイズの発生に起因する映像の乱れを目立たなくすることができるため、ノイズの発生に起因する不都合を回避することができる。また、第１の条件として「映像データＤｖ（映像）が所定の明るさを超えているとき」との設定や、第２の条件として「映像データＤｖ（映像）が所定の明るさを下回っているとき」との設定を行うことにより、ノイズに起因する映像の乱れが目立ち易い暗い映像が出力されているときにノイズが生じる事態を回避することができる。同様にして、第１の条件として「音声データＤａ（音声）が所定の音量を超えているとき」との設定や、第２の条件として「音声データＤａ（音声）が所定の音量を下回っているとき」との設定を行うことにより、ノイズに起因する映像の乱れが気になり易い静かな場面の映像が出力されているときにノイズが生じる事態を回避することができる。
【００４８】
さらに、上記のテレビ１では、ＬＥＤ１２ａ，１２ｂの点灯状態によって各条件を満たしているか否かの情報を報知する構成を採用したが、本発明における報知部の構成はこれに限定されず、例えば、各条件が満たされているか否かの情報を音声の出力によって報知する構成を採用することもできる。また、リアプロジェクション型のテレビについて上記したが、液晶表示器、プラズマ表示器、有機ＥＬ表示器およびＣＲＴ等の各種表示部を備えたテレビに本発明を適用することができる。
【図面の簡単な説明】
【００４９】
【図１】プロジェクションテレビ１の構成を示す構成図である。
【図２】点灯制御処理２０のフローチャートである。
【図３】映像データＤｖ等の出力時のＬＥＤ１２ａ，１２ｂの点灯状態図である。
【図４】光源ランプ１４の点灯保留時のＬＥＤ１２ａ，１２ｂの点灯状態図である。
【図５】光源ランプ１４の点灯開示時のＬＥＤ１２ａ，１２ｂの点灯状態図である。
【符号の説明】
【００５０】
１  プロジェクションテレビ、２  チューナ、３  映像音声処理部、４  映像表示部、５  音声出力部、６  映像音声データ出力部、７  番組情報取得部、８  スイッチ操作処理部、９  電源制御部、１０  主制御部、１１  記憶部、１２  動作状態表示部、１２ａ，１２ｂ  ＬＥＤ、１３  光源ランプ駆動制御部、１４  光源ランプ、１５  外部装置、２０  点灯制御処理、Ｄ  映像音声データ、Ｄａ  音声データ、Ｄｃ  条件データ、Ｄｄ  番組属性データ、Ｄｖ  映像データ
【図１】
2007081612.tif 000003
【図２】
2007081612.tif 000004
【図３】
2007081612.tif 000005
【図４】
2007081612.tif 000006
【図５】
2007081612.tif 000007